(57)【要約】【課題】  省エネと高圧放電用発光管の点灯時間遅れを低消費高スタート発光管で補うことで、保全装置の機能が付加され、また、一体型電球バルブによる製造コストの低減を図った街路灯を提供する。【解決手段】  始動時間が長いランプと始動時間が短いランプとを備え、始動時間が短いランプを、始動時間が長いランプの始動時間経過後に消灯させる手段を有する街路灯。始動時間が短いランプを、始動時間が長いランプの始動時間経過後に消灯させるタイマを有する。【選択図】        図４
2005174738.tif 000002
【特許請求の範囲】
【請求項１】
始動時間が長いランプと始動時間が短いランプとを備え、始動時間が短いランプを、始動時間が長いランプの始動時間経過後に消灯させる手段を有することを特徴とする街路灯。
【請求項２】
始動時間が長いランプと始動時間が短いランプとを備え、始動時間が短いランプを、始動時間が長いランプの始動時間経過後に消灯させる手段を有することを特徴とする照明装置。
【請求項３】
請求項２記載の照明装置において、
上記始動時間が短いランプを、始動時間が長いランプの始動時間経過後に消灯させるタイマを有することを特徴とする照明装置。
【請求項４】
始動時間が長いランプと始動時間が短いランプとを１つの電球バルブに入れ、前記始動時間が短いランプは、始動時間が長いランプの始動時間経過後に消灯されること特徴とする照明用ランプ。
【発明の詳細な説明】
【技術分野】
【０００１】
本発明は、街路灯及び照明装置と照明用ランプであり、特に主点灯管と副点灯管を具備した照明ランプを各々点灯消灯できる回路を有した街路灯及び照明装置に関する。
【背景技術】
【０００２】
従来の街路灯は、図１、図２に示すように、支柱１２とその上部に設けられたカバー１０、口金とそこに取り付けられた高圧放電ランプ１１で構成され、路上や駐車場、工場敷地等に適当な間隔で数多く設置されている。図１はその代表例である庭園タイプを示し、図２はハイウエイタイプを示す。下部支柱１２ａに内蔵された点灯回路を図３に示す。カバー１０の中に高圧放電ランプ１１があり、口金、安定器６を介し交流電源１９に接続されている。また、タイマ接点２２ａにより、夜間自動的に点灯するようになっている。
【０００３】
しかし、地球温暖化防止の一手段として省エネが重要視されるなかで、暗くなったら点灯させるのではなく、必要な時に最小限のエネルギーで街路灯を点灯させる必要性が高まってきた。一例として企業等においては、特にその傾向が強く、駐車場や敷地内道路に数多くの街路灯が設置されている。しかしながら、企業などでは１７時で就業の場合、残業を考えても夜間１０時以降殆んどの人が帰宅の途に就いている。したがって１０時から朝までの間は殆んどが無駄なエネルギーを費やしている事になる。
【０００４】
そこで、太陽電池を利用した外灯（特許文献１）やセンサーにより、歩行者が通る時のみ点灯させる（特許文献２）外灯などが出願されているが、採用となるといずれも効果となり投資効率が悪い。また、街路灯の高圧放電ランプはナトリウムランプ、水銀ランプなどによる１灯式街路灯でありタイマなどにより必要な時間に点灯させるのが一般的である。
【０００５】
更に、複数のランプを有する電球バルブが提案されている（特許文献３〜５）が、電力消費量の低減等を考慮していなかった。
【特許文献１】特開２００３−１５１３２０号公報
【特許文献２】特開２００２−２３１０４７号公報
【特許文献３】特開平８−２６４００９号公報
【特許文献４】特開２０００−８２３０４号公報
【特許文献５】特開２００１−３２５８０７号公報
【発明の開示】
【発明が解決しようとする課題】
【０００６】
本発明は、街路灯に使用される、高圧放電用発光管と低消費高スタート発光管を一つの電球バルブの中に納めた一体型電球バルブにより、一方では高輝度を保ち、一方では高スタート、低消費電力を可能とした。これにより、省エネと高圧放電用発光管の点灯（始動）時間遅れを低消費高スタート発光管で補うことで、保全装置の機能が付加され、また、一体型電球バルブによる製造コストの低減を図った街路灯を提供することにある。
【０００７】
高圧放電ランプであるナトリウムランプ、水銀灯などは高輝度であるものの、電力の消費量が多いという難点がある。また、点灯（始動）時に時間がかかり、不意の停電時に一旦消灯すると点灯するの数分単位の時間がかかり、この間真っ暗となり、保安上に問題があった。以上のことから、主ランプに高圧放電ランプを使い、副ランプに電力消費量が少なく点灯（始動）時間の早いランプ（本発明では蛍光管式で実施）を用いることで点灯時に副ランプで点灯させ、タイマ、または光センサなどで主ランプに切り替える事で前記は解決され、さらに、高圧放電ランプと蛍光管ランプを一体化することで、製造・ランニングコストが安くできる。内蔵の高圧放電ランプ、蛍光管ランプ点灯回路を、各々任意の時間にタイマ切換を行い、人が多く行き来する時間帯に主側の高圧放電ランプを点灯させ、人の行き来が少ない時間帯に副側低消費ランプを使い分けることが可能で消費電力の少ない本街路灯が生まれた。尚、主側、副側どちらか一方のみの点灯も可能である。
【課題を解決するための手段】
【０００８】
本発明は、電球バルブの中に高圧放電用発光管と低消費発光管を一つの電球バルブの中に納めた一体型ランプと口金、電子タイマ、各々の安定器、切換ＳＷ、ランプ外装カバー、支柱より構成された街路灯である。
【０００９】
すなわち、本発明は、始動時間が長いランプと始動時間が短いランプとを備え、始動時間が短いランプを、始動時間が長いランプの始動時間経過後に消灯させる手段を有する街路灯である。
【００１０】
また、本発明は、始動時間が長いランプと始動時間が短いランプとを備え、始動時間が短いランプを、始動時間が長いランプの始動時間経過後に消灯させる手段を有する照明装置である。
【００１１】
そして、本発明は、上記始動時間が短いランプを、始動時間が長いランプの始動時間経過後に消灯させるタイマを有する照明装置である。
【００１２】
更に、本発明は、始動時間が長いランプと始動時間が短いランプとを１つの電球バルブに入れ、前記始動時間が短いランプは、始動時間が長いランプの始動時間経過後に消灯される照明用ランプである。
【発明の効果】
【００１３】
本発明によれば、タイマの切換で任意に選択できることから、深夜の人通りの少ない時間帯に副側ランプに切り替えることにより、全体として電力消費量を少なくすることが可能である。また、主側ランプと副側ランプを一体にすることにより、価格を安くすることが可能であり、更に、不意の停電時、点灯回路により点灯時間の早い副側を先につけ、主側が点灯したら副側を消灯させることにより、保安上の機能を有する利点がある。
【発明を実施するための最良の形態】
【００１４】
本発明を実施するための最良の形態を説明する。
以下、本発明の街路灯及び照明装置と照明用ランプの実施例について、図を用いて説明する。図４は主側高輝度高消費電力ランプと副側低消費高スタートランプを一体とした主・副光源一体形ランプ１と点灯装置の回路図を示す。
【００１５】
本発明を説明する。本発明において、高圧放電ランプ１は、石英管、電極、始動ガス、水銀より構成された発光管（始動時間が長いランプ）２と、蛍光部、ガス、電極、口金などによりなる蛍光管（始動時間が短いランプ）３とを一つの外球４内に収納し、その端部に口金５を固定してなる。口金からの５つの導電端子５ａ〜５ｅはそれぞれの回路へとつながっている。主・副光源一体形ランプ１の発光管２は導電端子５ａを介し安定器６、タイマ接点２１ｂ、交流電源１９へとつながっている。ここで２０，２１，２２はタイマ接点２０ａ，２１ａ，２１ｂ，２２ａのコイルを示す。タイマ２０は蛍光管３の点灯時間設定、タイマ２１は高圧放電ランプ２の点灯時間設定、タイマ２２は照明装置全体の点灯時間、消灯時間設定を行う。
【００１６】
蛍光管３の点灯管９は、５ｂ，５ｃを介して接続した蛍光管３点灯時の始動補助を行っている。蛍光管３の点灯電源は、導電端子５ｄを介し安定器７、タイマ接点２０ａまたは２１ａを介し、交流電源１９につながっている。放電管２、蛍光管３の交流電源共通線は、導電端子５ｅを介して交流電源１９に接続されている。
【００１７】
図６は本発明の主・副光源一体形ランプ１と点灯回路を有した実施例であり、カバー１０の中に本発明の主・副光源一体形ランプ１を内蔵し、支柱１２により保持され、支柱下部１２ａの中には図４に示す機器類が内蔵されている。ここで、２０，２１，２２はタイマ本体を示し、２０の接点２０ａと２１の接点２１ａ，２１ｂ、２２の接点２２ａが内蔵されている。１８は街路灯の本体ＳＷを示す。
【００１８】
図７はハイウエイタイプに本発明の主・副光源一体形ランプ１を取り付けた例を示す。また、図８は工場、体育館、ホールなどに使用される天井灯に本発明の高圧放電管１を取り付けた例を示す。
【００１９】
ここで、本発明の街路灯の動作について、図４及び図５を用いて説明する。まず、予めタイマ２２の時間設定で点灯時間、消灯時間を決めておく（本実施例ではタイマにて実施したが、光量により自動的に回路の開閉を行うセンサタイプなどでも可、図５にはタイムアップ後の電源ＯＮと図示）。また、タイマ２０は蛍光管３の時間設定で、本発明では３分とした。タイマ２１は主・副光源一体形ランプ１の点灯時間設定と同時に蛍光管３の再点灯時間を示す。図５のフローチャートにて動作の説明を行う。タイマ２２により夕刻時間になると電源ＯＮとなる。次にタイマ２（２１）、タイマ１（２０）が始動する。よってＡランプ（２）とＢランプ（３）が同時点灯し始め、Ｂランプ（３）はＡランプ（２）の光束が上がった３分後にタイマ１（２０）がタイムアップとなり消灯する。一方で、タイマ２（２１）は設定時間をタイマ１（２０）より長く設定しておくことにより点灯継続となる。ここで瞬停（瞬間的に停電または停電）が有った場合、最初に戻りＡランプ（２）とＢランプ（３）が同時点灯し、Ｂランプ（３）はＡランプ（２）の光束が上がった３分後にタイマ１（２０）がタイムアップとなり消灯する。これにより不意の停電でもＢランプ（３）が瞬間的に点灯しＡランプ（２）を補うため保安上効果がある。
【００２０】
次に、不意の停電などが無い場合は、タイマ２（２１）が設定時間になると、タイムアップとなり、図４の接点２１ｂによりＡランプ（２）は消灯し、同時動作の接点２１ａがＢランプ（３）の回路をつなぎ点灯となる（図５のＡランプ消灯、Ｂランプ点灯）。以上のことから、タイマ１（２０）は主・副光源一体形ランプ１の光束を補うための点灯時間設定であり、タイマ２（２１）は主・副光源一体形ランプ１から蛍光管３への切替設定時間であることがわかる。最後に、図４のタイマ３（２２）により明るくなった朝方に全体電源をタイマ３（２２）接点定器２２ａにより遮断して終了する。
【００２１】
以上のことをタイムチャートにより説明したのが図８である。縦軸が光束、横軸が時間を示し最初は蛍光管とナトリウム灯が点灯し、光束の立ち上がりに時間を要するナトリウム灯を蛍光管が設定時間補い、切替にてナトリウム灯のみとなる。次に万一停電し、停電が回復したとき再点灯する場合は、蛍光管がナトリウム灯の再点灯時間の光束を補う。これにより保安上有効な手段となる。
【００２２】
また、省エネに関しては図９に一例として示すように、図４のタイマ３（２２）の始動時間を１８：００に、終了時間を翌日６：００にセットし、タイマ１（２０）のセット時間３分間、高圧放電ランプ２の光束を補う、又、タイマ２（２１）のセット時間を４時間としておけば、１８：００からの４時間後に高圧放電ランプ２を消灯し、蛍光管３を点灯させる、その後タイマ３のセット時間翌日６：００にタイムアップ、電源が遮断され街路灯はすべて消灯となる。よって、２２０Ｗから２０Ｗを減じた２２０Ｗ（８時間）が１日あたりの省エネとなる。
【実施例１】
【００２３】
本発明の実施例１として、図１０庭園タイプの実施例、図１１に点灯回路を示す。図１０は、従来タイプの高圧放電ランプ１１と点灯回路を有した実施例であり、高圧放電ランプ１１と蛍光管３ａをカバー１０内に納めたもので固定金具１５により合体される。また、互いの発熱を遮断するため、遮断板１５ａを備えており、カバー１０の中に従来タイプの高圧放電ランプ１１を内蔵し、支柱１２により保持され支柱１２ａの中には図４に示す機器が内蔵されている。
【００２４】
ここで、２０，２１はタイマ本体を示し、２０の接点２０ａと２１の接点２１ａ，２１ｂが内蔵されている。１８は本体ＳＷを示す。
【００２５】
点灯回路としては、図１１に示すように前述の実施例とほぼ同じであり、高圧放電ランプ１１と蛍光管３ａが一つのカバー１０内に収納され、固定金具１５で一体化していること以外、同じ構造動作である。本実施例は図１２に示すように工場、体育館、ホールなどに使用される天井灯にも利用が可能である。
【００２６】
なお、本発明において、蛍光管３を持たず、設定時間に達したとき、高圧放電ランプ１１のみで光束を減光させ、電圧を下げ消費電力少なくしても省エネを達成することが可能である。
【図面の簡単な説明】
【００２７】
【図１】従来の街路灯（庭園タイプ）。
【図２】従来の街路灯（ハイウエイタイプ）。
【図３】従来の街路灯（回路図）。
【図４】本発明の電球バルブと回路図。
【図５】本発明のフローチャート。
【図６】本発明の庭園灯。
【図７】本発明のハイウエイ灯。
【図８】本発明のタイムチャート（１）。
【図９】本発明のタイムチャート（２）。
【図１０】実施例１の庭園灯。
【図１１】実施例１回路図。
【図１２】実施例１の照明灯。
【図１３】本発明の照明灯。
【符号の説明】
【００２８】
１  主・副光源一体形ランプ
２  発光管
３  蛍光管
５  口金
６、７  安定器
９  点灯管
１０  カバー
１１  高圧放電ランプ
１２  支柱
１５  固定金具
１８  本体ＳＷ
２０、２１、２２  タイマ本体
【図１】
2005174738.tif 000003
【図２】
2005174738.tif 000004
【図３】
2005174738.tif 000005
【図４】
2005174738.tif 000006
【図５】
2005174738.tif 000007
【図６】
2005174738.tif 000008
【図７】
2005174738.tif 000009
【図８】
2005174738.tif 000010
【図９】
2005174738.tif 000011
【図１０】
2005174738.tif 000012
【図１１】
2005174738.tif 000013
【図１２】
2005174738.tif 000014
【図１３】
2005174738.tif 000015